(57)【要約】【課題】分割コア式モータステータをモータケースに組付ける作業を効率良く行えるようにすること。【解決手段】表面２１に複数の分割コア装着部２２(１)〜２２(６)が形成されている可撓性のプラスチックシート２０を用意し、各分割コア装着部に各分割コア３(１)〜３(６)を装着し、この状態で、各分割コアに対する界磁用コイル４(１)〜４(６)の巻き線作業および結線作業を行い、プラスチックシート２０を円環状に丸め、その内周面に沿って各分割コアが円環状に配列された構成のモータステータ１を形成し、当該モータステータ１をモータケース１０に装着する。分割コアを一個ずつモータケース内に位置決めして装着して結線を行う場合に比べて作業効率を改善できる。【選択図】図２
2007159331.tif 000002
【特許請求の範囲】
【請求項１】
表面に複数の分割コア装着部が形成されている可撓性のプラスチックシートを用意し、
当該プラスチックシートを平面上に展開した状態で、各分割コア装着部に各分割コアを装着し、
この状態で、各分割コアに対する界磁用コイルの巻き線作業および結線作業を行い、
前記プラスチックシートを円環状に丸め、その内周面に沿って各分割コアが円環状に配列された構成のモータステータを形成し、
当該モータステータをモータケースに装着することを特徴とする分割コア式モータステータの組付け方法。
【請求項２】
請求項１において、
前記界磁用コイルの巻き線作業は、同相の各分割コアに対して一筆巻きにより行うことを特徴とする分割コア式モータステータの組付け方法。
【請求項３】
平面上に展開可能な可撓性のプラスチックシートからなる円環と、
前記円環の内周面に一定の角度間隔で形成されている分割コア装着部と、
各分割コア装着部に装着されている分割コアと、
各分割コアに巻き付けられている界磁用コイルとを有していることを特徴とする分割コア式モータステータ。
【発明の詳細な説明】
【技術分野】
【０００１】
本発明は、複数の分割コアを円環状に配列した構成の分割コア式モータステータに関し、特に、モータケースへの組付け作業を効率良く行うことのできる分割コア式モータステータの組付け方法に関するものである。
【背景技術】
【０００２】
ブラシレスモータやＡＣモータのモータステータとして、分割コアを円環状に配列した構成の分割コア式モータステータが知られている。各分割コアには界磁用コイルが予め巻き付けられており、各分割コアを個別にモータケースに位置決めして装着固定した後に、各相のコイル巻き線の結線作業が行われる。
【発明の開示】
【発明が解決しようとする課題】
【０００３】
しかしながら、分割コア式モータステータをモータケースに組付ける作業においては次のような問題点がある。
【０００４】
まず、各分割コアをモータケースに装着する際に、各分割コアを精度良く位置決めする必要がある。小径のモータでは、小径のモータケースに各分割コアを精度良く位置決めしながら組付ける必要があるので、作業効率が悪い。また、各分割コアをモータケースに組付ける際には各相の界磁用コア用コイル巻き線の結線作業が必要であるが、現状の方法では結線用および巻き線用の治具工具を用いた作業が物理的にできないために、モータの小径化には限界がある。
【０００５】
本発明の課題は、このような点に鑑みて、効率良く分割コア式モータステータを小径のモータケースに組付けることのできる組付け方法を提案することにある。
【課題を解決するための手段】
【０００６】
上記の課題を解決するために、本発明の分割コア式モータステータの組付け方法は、
表面に複数の分割コア装着部が形成されている可撓性のプラスチックシートを用意し、
当該プラスチックシートを平面上に展開した状態で、各分割コア装着部に各分割コアを装着し、
この状態で、各分割コアに対する界磁用コイルの巻き線作業および結線作業を行い、
前記プラスチックシートを円環状に丸め、その内周面に沿って各分割コアが円環状に配列された構成のモータステータを形成し、
当該モータステータをモータケースに装着することを特徴としている。
【０００７】
本発明の方法では、分割コアが装着されたプラスチックシートを円環状に丸めてモータケースに装着すれば、各分割コアが位置決めされた状態でモータケース内に装着された状態が形成される。したがって、分割コアを一個ずつモータケース内に位置決めして装着する作業に比べて作業効率を改善できる。
【０００８】
また、平面上に展開された状態で、各分割コアに対するコイル巻き線作業および結線作業が行われる。各分割コアが位置決めされた状態で、同一の側から結線作業を行うことができるので、結線作業を効率良く行うことができる。
【０００９】
ここで、本発明の方法では、前記界磁用コイルの巻き線作業を、同相の各分割コアに対して一筆巻きにより行うことを特徴としている。一筆巻きを行うことにより、各分割コア間におけるコイル巻き線の結線作業が不要となるので、作業効率を改善できる。
【００１０】
次に、本発明は、上記の方法により構成された分割コア式モータステータに関するものであり、平面上に展開可能な可撓性のプラスチックシートからなる円環と、前記円環の内周面に一定の角度間隔で形成されている分割コア装着部と、各分割コア装着部に装着されている分割コアと、各分割コアに巻き付けられている界磁用コイルとを有していることを特徴としている。
【発明の効果】
【００１１】
本発明の方法では、可撓性のプラスチックシートの表面に形成した分割コア装着部に各分割コアを装着し、界磁用コイルの巻き線作業を行った後に、プラスチックシートを円環状に丸めてモータステータを形成し、これをモータケースに装着するようにしている。したがって、各分割コアをそれぞれモータケースに装着して位置決めする場合に比べて作業効率が向上する。また、平面上に展開されているプラスチックシートの表面に各分割コアが位置決め固定されている状態で各相の界磁用コイルの結線作業を行えば良いので、結線作業を簡単かつ効率良く行うことができる。
【００１２】
また、各相の界磁用コイルを一筆巻きにより行う場合には分割コア間の結線作業が不要となるので、作業効率を大幅に改善できる。
【発明を実施するための最良の形態】
【００１３】
以下に、図面を参照して、本発明を適用した分割コア式モータステータの組付け方法を説明する。
【００１４】
(分割コア式モータステータ)
図１は、分割コア式モータステータをモータケースに装着した状態を示す概略断面図である。本例の分割コア式モータステータ１は、平面上に展開可能な可撓性のプラスチックシートからなる円環２と、この円環２の内周面に装着された６個の分割コア３(１)〜３(６)とを有している。円環２はモータケース１０の内周面１０ａにはめ込み可能な外径寸法のものであり、その内周面には等角度間隔で６つの分割コア装着溝２２(１)〜２２(６)が形成されており、各分割コア装着溝２２(１)〜２２(６)に各分割コア３(１)〜３(６)が装着されている。
【００１５】
各分割コア３(１)〜３(６)にはそれぞれ界磁用コイル４(１)〜４(６)が巻き付けられている。例えば、本例の分割コア式モータステータ１は３相モータ用のものであり、分割コア３(１)、３(４)にはＵ相の界磁用コイル４(１)、４(４)が巻き付けられており、分割コア３(２)、３(５)にはＶ相の界磁用コイル４(２)、４(５)が巻き付けられており、分割コア３(３)、３(６)にはＷ相の界磁用コイル４(３)、４(６)が巻き付けられている。
【００１６】
各分割コア３(１)〜３(６)は磁性材料からなる同一形状のものであり、円弧状部分３１と、この円弧状部分３１の内周面から当該内周面の円弧中心に向けて突出している突極部分３２とを備えている。突極部分３２の先端は円弧状部分３１の円弧中心と中心を同じにする円弧状先端部３３となっている。分割コア３(１)〜３(６)は、例えば、一定厚さのコア積層板をモータ軸線方向に所定の幅となるように積層して固定することにより構成することができる。また、絶縁性樹脂からなる不図示のインシュレータで覆われている。界磁用コイル４(１)〜４(６)は、インシュレータを介して各分割コア３(１)〜３(６)の突極部分３２に巻き付けられている。
【００１７】
次に、円環２の分割コア装着溝２２(１)〜２２(６)は、６０度間隔で形成されており、分割コア３(１)〜３(６)の円弧状部分３１を、円環軸線方向の端から差込固定可能な断面形状をしている。また、各分割コア装着溝２２(１)〜２２(６)の間には、内周面の側から所定の深さに切り込まれた切り込み２３(１)〜２３(６)が形成されている。
【００１８】
(分割コア式モータステータの組付け方法)
次に、図２を参照して、上記構成の分割コア式モータステータ１をモータケース１０に組付ける方法を説明する。まず、図２(ａ)に示すように、円環２を平面上に展開した状態の可撓性プラスチックシート２０を用意する。このプラスチックシート２０の表面２１には、分割コア装着溝２２(１)〜２２(６)が形成されている。また、各分割コア装着溝２２(１)〜２２(６)の間にはＶ形断面の切り込み２３(１)〜２３(５)が形成されており、プラスチックシート２０の両端２３ａ、２３ｂには、それらを合わせることにより切り込み２３(６)を形成可能な切り欠き面２４ａ、２４ｂが形成されている。
【００１９】
次に、図２(ｂ)に示すように、プラスチックシート２０の各分割コア装着溝２２(１)〜２２(６)に、各分割コア３(１)〜３(６)を差し込み固定する。
【００２０】
この後は、図２(ｃ)に示すように、各分割コア装着部２２(１)〜２２(６)に差込固定された各分割コア３(１)〜３(６)に対して、各相の界磁用コイル４(１)〜４(６)の巻き線作業を行う。本例では、各相の界磁用コイルについては一筆巻きにより巻き線作業を行うようにしている。このため、各相の界磁用コイルについて、各分割コア間における結線作業が不要である。例えば、図２(ｃ)に示すように、Ｕ相の界磁用コイル４(１)および４(４)を一筆巻きによりＵ相用の分割コア３(１)および３(４)に巻きつける。
【００２１】
巻き線作業が終了した後は、図２(ｄ)に示すように、プラスチックシート２０を、その表面２１が内周面となるように円環状に丸めて、両端２３ａ、２３ｂを重ね合わせて接合する。例えば、接着剤を用いて接合して円環２を形成する。ここで、プラスチックシート２０には切り込み２３(１)〜２３(５)が形成されており、また、両端２３ａ、２３ｂにも切り欠き面２４ａ、２４ｂが形成されている。したがって、一定厚さのプラスチックシート２０を簡単に丸めて円環２を形成できる。このようにして、プラスチックシート２０を丸めて円環２を形成することにより、各分割コア３(１)〜３(６)が円環状に等角度間隔で配列された構成の分割コア式モータステータ１が形成される。
【００２２】
この後は、当該分割コア式モータステータ１をモータケース１０に装着して固定し、所定の結線作業を行うことにより、図１に示す状態となり、分割コア式モータステータ１の組付けが終了する。
【００２３】
以上説明したように、本例の分割コア式モータステータの組付け方法では、平面上に展開した状態のプラスチックシート２０に各分割コア３(１)〜３(６)を装着し、この状態で、一方の側から界磁用コイルの巻き線作業を行い、しかる後に、プラスチックシート２０を丸めて円環２を形成し、モータケース１０に装着するようにしている。
【００２４】
したがって、各分割コアを個別にモータケースに装着して位置決めする場合に比べて作業性が改善される。また、巻き線作業も一方向から行えば良いので効率良く行うことができる。さらに、各相の界磁用巻き線を一筆巻きにより行うようにしているので、各相の分割コア間におけるコイルの結線作業が不要となるので、これによっても作業効率が改善される。
【図面の簡単な説明】
【００２５】
【図１】本発明を適用した分割コア式モータステータがモータケースに装着された状態を示す概略断面図である。
【図２】図１の分割コア式モータステータの組付け作業を示す説明図である。
【符号の説明】
【００２６】
１  分割コア式モータステータ
２  円環
３(１)〜３(６)  分割コア
４(１)〜４(６)  界磁用コイル
１０  モータケース
２０  プラスチックシート
２１  表面
２２(１)〜２２(６)  分割コア装着溝
２３(１)〜２３(６)  切り込み
【図１】
2007159331.tif 000003
【図２】
2007159331.tif 000004